(57)【要約】【課題】センサを用いなくても使用者が受光した受光量の累積値を精度良く算出することができる積算受光量推定方法、プログラム、積算受光量推定装置及び健康管理システムを提供する。【解決手段】積算受光量推定方法では、端末機器３の位置情報と、時間情報とに対応する日射量情報を取得し、位置情報を含む信号の電波受信強度に基づき、日射量情報で示される日射量を補正して補正受光量を算出し、補正受光量を用いて端末機器３の受光量の累積値を算出する。【選択図】図４
2019011969.tif 000002
【特許請求の範囲】
【請求項１】
機器の位置情報と、時間情報とに対応する日射量情報を取得し、
前記位置情報を含む信号の電波受信強度に基づき、前記日射量情報で示される日射量を補正して補正受光量を算出し、
前記補正受光量を用いて前記機器の受光量の累積値を算出する
積算受光量推定方法。
【請求項２】
前記補正受光量は、第１補正受光量と、第２補正受光量とを含み、
さらに、前記電波受信強度が第１閾値以上第２閾値未満であるか否かを判断し、
前記電波受信強度が前記第１閾値以上前記第２閾値未満である場合、第１補正係数関数を用いて導出された第１補正係数によって、前記機器の受光量を補正した前記第１補正受光量を算出し、
前記電波受信強度が前記第２閾値以上である場合、前記第１補正係数関数を用いて導出された第２補正係数によって、前記機器の受光量を補正した前記第２補正受光量を算出する
請求項１に記載の積算受光量推定方法。
【請求項３】
前記第１補正係数関数は、非減少関数である
請求項２に記載の積算受光量推定方法。
【請求項４】
前記電波受信強度は、第１補正受信強度と、第２補正受信強度と、第３補正受信強度とを含み、
さらに、
前記位置情報と、前記時間情報とに対応する大気の水蒸気量を示す水蒸気情報を取得し、
前記水蒸気量が第３閾値以上第４閾値未満であるか否かを判断し、
前記水蒸気量が前記第３閾値未満である場合、第２補正係数関数を用いて導出された第３補正係数によって、前記電波受信強度を補正した前記第１補正受信強度を算出し、
前記水蒸気量が前記第３閾値以上前記第４閾値未満である場合、前記第２補正係数関数を用いて導出された前記第３補正係数よりも大きい第４補正係数によって、前記電波受信強度を補正した前記第２補正受信強度を算出し、
前記水蒸気量が前記第４閾値以上である場合、前記第２補正係数関数を用いて導出された前記第４補正係数よりも大きい第５補正係数によって、前記電波受信強度を補正した前記第３補正受信強度を算出する
請求項１〜３のいずれか１項に記載の積算受光量推定方法。
【請求項５】
前記第２補正係数関数は、非減少関数である
請求項４に記載の積算受光量推定方法。
【請求項６】
さらに、照明装置によって前記機器が受光した照明装置受光量を示す情報を取得することができるか否かを判断し、
前記累積値の算出では、前記照明装置受光量を示す情報の取得を行うことができる場合に、前記補正受光量に前記照明装置受光量が加算される
請求項１〜５のいずれか１項に記載の積算受光量推定方法。
【請求項７】
さらに、前記照明装置が出射する光の明るさが規定値以上であるか否かを判断し、
前記累積値の算出では、
前記照明装置受光量が規定値未満である場合に、前記補正受光量を含めずに算出され、
前記照明装置受光量が規定値以上である場合に、前記補正受光量に前記照明装置受光量が加算される
請求項６に記載の積算受光量推定方法。
【請求項８】
使用者のスケジュール情報と、前記スケジュール情報に関連付けられた前記位置情報及び前記時間情報とを記憶し、
前記スケジュール情報に関連付けられた前記位置情報及び前記時間情報に対応する日射量情報を算出する
請求項１〜７のいずれか１項に記載の積算受光量推定方法。
【請求項９】
請求項１〜８のいずれか１項に記載の積算受光量推定方法をコンピュータに実行させる
プログラム。
【請求項１０】
機器の位置情報と、時間情報とに対応する日射量情報を取得する日射量取得部と、
前記位置情報を含む信号の電波受信強度に基づき、前記日射量情報で示された前記機器の受光量を補正した補正受光量を算出する受光量算出部と、
前記補正受光量を含む累積値を算出する累積値算出部とを備える
積算受光量推定装置。
【請求項１１】
請求項１０に記載の積算受光量推定装置と、
前記積算受光量推定装置から取得する前記累積値に基づいて、使用者が受光する受光量、前記使用者の健康状態及び前記使用者の睡眠状態を管理する管理部と、
照明装置とを備える
健康管理システム。
【請求項１２】
前記管理部は、前記使用者が受光する受光量、前記使用者の健康状態及び前記使用者の睡眠状態を示す各々の情報に基づいて、照明装置の明るさ及び光出射時間の少なくとも一方を制御する
請求項１１に記載の健康管理システム。
【発明の詳細な説明】
【技術分野】
【０００１】
本開示は、積算受光量推定方法、プログラム、積算受光量推定装置及び健康管理システムに関する。
【背景技術】
【０００２】
近年、乱れた生体リズムを改善する方法として、光を身体に照射することによって体内時計を調節して生体リズムを整えるといったことが行われている。生体リズムを整えることで体内時計を調節し、日中に身体を覚醒させることができる。
【０００３】
従来では、ユーザの生体に関する生体情報を取得する生体情報取得部と、ユーザの周囲の環境に関する環境情報を取得する環境情報取得部とを備えた照明制御システムが開示されている（例えば特許文献１参照）。
【先行技術文献】
【特許文献】
【０００４】
【特許文献１】特開２０１７−５１３７５号公報
【非特許文献】
【０００５】
【非特許文献１】本間研一、本間さと、広重力：生体リズムの研究、北海道大学図書刊行会、１９８９
【非特許文献２】Ｓ．  Ｈａｓｈｉｍｏｔｏ，  Ｍ．  Ｋｏｈｓａｋａ，  Ｋ．  Ｎａｋａｍｕｒａ，  Ｈ．  Ｈｏｎｍａ，  Ｓ．  Ｈｏｎｍａ，  Ｋ．  Ｈｏｎｍａ，Ｍｉｄｄａｙ  ｅｘｐｏｓｕｒｅ  ｔｏ  ｂｒｉｇｈｔ  ｌｉｇｈｔ  ｃｈａｎｇｅｓ  ｔｈｅ  ｃｉｒｃａｄｉａｎ  ｏｒｇａｎｉｚａｔｉｏｎ  ｏｆ  ｐｌａｓｍａｍｅｌａｔｏｎｉｎ  ｒｈｙｔｈｍ  ｉｎ  ｈｕｍａｎｓ，  Ｎｅｕｒｏｓｃｉ．  Ｌｅｔｔ．  ２２１，８９-９２  （１９９７）．
【非特許文献３】小崎・伊奈・安河内: 午前中の異なる光強度によるメラトニン分泌開始時刻（ＤＬＭＯ）への作用ならびに概日リズム位相との関係，  日本生理人類学会，  １９（１），  ｐｐ．７−１１  （２０１４）
【発明の概要】
【発明が解決しようとする課題】
【０００６】
従来の照明制御システムでは、センサを身体に装着して使用者が受光した受光量の累積値を算出している。しかし、使用者は、センサを身体に装着するため、煩わしさを感じる。また、センサを身体に装着すれば、使用者が受光した受光量を精度良く算出することができると考えられるが、例えばセンサが衣類、頭髪等で遮光されることにより、計測した受光量が実際の受光量よりも小さくなったり、センサと受光量データを保存する端末機器との間での通信エラーが生じたり、電池切れなどによるデータの欠損等が生じたりすることがある。このため、従来の照明制御システムでは、受光量を精度良く取得することが出来難い。
【０００７】
そこで、本開示は、センサを用いなくても使用者が受光した受光量の累積値を精度良く算出することができる積算受光量推定方法、プログラム、積算受光量推定装置及び健康管理システムを提供することを目的とする。
【課題を解決するための手段】
【０００８】
上記目的を達成するため、本開示の一態様に係る積算受光量推定方法は、機器の位置情報と、時間情報とに対応する日射量情報を取得し、前記位置情報を含む信号の電波受信強度に基づき、前記日射量情報で示される日射量を補正して補正受光量を算出し、前記補正受光量を用いて前記機器の受光量の累積値を算出する。
【０００９】
また、上記目的を達成するため、本開示の一態様に係るプログラムは、積算受光量推定方法をコンピュータに実行させる。
【００１０】
また、上記目的を達成するため、本開示の一態様に係る積算受光量推定装置は、機器の位置情報と、時間情報とに対応する日射量情報を取得する日射量取得部と、前記位置情報を含む信号の電波受信強度に基づき、前記日射量情報で示された前記機器の受光量を補正した補正受光量を算出する受光量算出部と、前記補正受光量を含む累積値を算出する累積値算出部とを備える。
【００１１】
また、上記目的を達成するため、本開示の一態様に係る健康管理システムは、積算受光量推定装置と、前記積算受光量推定装置から取得する前記累積値に基づいて、使用者が受光する受光量、前記使用者の健康状態及び前記使用者の睡眠状態を管理する管理部と、照明装置とを備える。
【発明の効果】
【００１２】
本開示によれば、センサを用いなくても使用者が受光した受光量の累積値を精度良く算出することができる。
【図面の簡単な説明】
【００１３】
【図１】図１は、実施の形態１に係る健康管理システムを示すブロック図である。
【図２】図２は、実施の形態１に係る積算受光量推定装置で用いる第１補正係数関数の例を示す図である。
【図３】図３は、日中に受光した受光量の累積値と１３００ｌｘ以上の光を受光した受光量の累積値との関係を示す散布図である。
【図４】図４は、実施の形態１に係る積算受光量推定装置の動作を示すフローチャートである。
【図５】図５は、使用者が受光した一日の受光量の累積値を算出する一例を説明する説明図である。
【図６】図６は、実施の形態２に係る健康管理システムを示すブロック図である。
【図７】図７は、実施の形態２に係る積算受光量推定装置で用いる第２補正係数関数の例を示す図である。
【図８】図８は、実施の形態２に係る積算受光量推定装置の動作を示すフローチャートである。
【図９】図９は、メラトニンの分泌量とメラトニンの分泌量の時間変化との関係を示す図である。
【発明を実施するための形態】
【００１４】
（概要）
人の生体リズム（サーカディアンリズムとも呼ばれる）を刻む体内時計の調整作用を有する因子は、複数あることが知られている。この因子における物理的因子の中では、「光」が最も影響を与えることが知られている（非特許文献１）。基本的に、日中の受光量が不足すれば、生体リズムに異常をきたし、その結果、睡眠障害、睡眠障害による集中力の低下等、様々な障害が発生する。
【００１５】
生体リズムと関係のあるホルモンとされるメラトニンの分泌と光に関する研究では、健常な成人男性が照度５０００ｌｘの光を６時間（１１：００−１７：００）（非特許文献２）、健常な夜型の男性では照度１５００ｌｘの光を３時間（９：００−１２：００）（非特許文献３）、浴びることによりメラトニンの分泌が増大し、分泌の日内位相が前進するとされ、生体リズムが整うことが確認されている。健常な人の生体リズムを調整するには、日中に高照度である約１５００ｌｘ×３時間以上の受光が必要であると言われている。
【００１６】
図９は、メラトニンの分泌量とメラトニンの分泌量の時間変化との関係を示す図である。非特許文献２より、図９では、５０００ｌｘの光を日中に６時間受光することで、メラトニンの分泌が促進され分泌の日内位相が前進する効果があり、生体リズムが整う可能性がある。非特許文献３より、１５００ｌｘ、３０００ｌｘ、６０００ｌｘの光を照射した場合に、メラトニンの分泌開始時間が、これらの光を照射した翌日以降から統計的に有意に早まることが報告され、生体リズムが整う可能性がある。
【００１７】
このため、日中に受光した光の不足を把握するために、日中に使用者が受光した受光量を算出し、使用者の受光量を使用者に認知させることが有用である。
【００１８】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置および接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１９】
なお、各図は、模式図であり、必ずしも厳密に図示されたものではない。また、各図において、実質的に同一の構成に対しては同一の符号を付しており、重複する説明は省略又は簡略化する。
【００２０】
以下、本開示の実施の形態に係る積算受光量推定方法、プログラム、積算受光量推定装置及び健康管理システムについて説明する。
【００２１】
（実施の形態１）
［構成］
図１は、実施の形態１に係る健康管理システム１を示すブロック図である。
【００２２】
図１に示すように、健康管理システム１は、例えば一日の間で端末機器３が受光した受光量を累積した累積値を算出し、算出した受光量に基づいて照明装置７等の光出力を管理するシステムである。健康管理システム１は、端末機器３と、照明装置７とを備える。光出力は、明るさを意味する。
【００２３】
端末機器３は、例えばスマートフォン、タブレット端末等の機器である。端末機器３は、通常使用者が端末機器３を所持していると仮定し、端末機器３が受光した受光量は使用者が受光した受光量とみなす。ここでいう受光量は、明るさに受光期間を乗算して算出される。端末機器３は、機器の一例である。
【００２４】
端末機器３は、積算受光量推定装置５と、管理部６７と、表示部３１と、端末通信部３３とを備える。
【００２５】
積算受光量推定装置５は、端末機器３の位置情報、時間情報等により使用者の受光量を推定する装置である。積算受光量推定装置５は、位置情報取得部５３と、タイマ部５５と、日射量取得部５７と、受光量算出部５９と、受信強度算出部６１と、判断制御部６２と、累積値算出部６３と、記憶部６５とを備える。
【００２６】
位置情報取得部５３は、ＧＰＳを利用して端末機器３の位置情報を取得する。位置情報取得部５３が取得する位置情報は、端末機器３の現在位置を示す情報である。位置情報取得部５３は、取得した位置情報を日射量取得部５７等に出力する。
【００２７】
タイマ部５５は、現在時間を計測し、判断制御部６２、日射量取得部５７等に出力する。タイマ部５５は、例えば、単位時間ごとの時間情報を判断制御部６２、日射量取得部５７等に出力する。これにより、判断制御部６２は、対象期間であるか否かを判断することができる。タイマ部５５は、具体的には、汎用のタイマ回路であってもよい。
【００２８】
日射量取得部５７は、位置情報取得部５３から端末機器３の位置情報を取得し、位置情報に対応する時間情報をタイマ部５５から取得する。日射量取得部５７は、端末機器３の位置情報と、時間情報とを関連付ける。なお、位置情報に時間情報がすでに関連付けられている場合、つまり、位置情報と時間情報とが関連付けられた情報を位置情報取得部５３が取得する場合、日射量取得部５７は、位置情報と時間情報との関連付けを行わなくてもよい。
【００２９】
日射量取得部５７は、端末通信部３３及びネットワーク１１を介して、位置情報と時間情報とに対応する日射量情報を外部のサーバ１３から取得する。日射量取得部５７は、日射量情報を受光量算出部５９に出力する。日射量情報は、端末機器３の日射量を示している。ここでいうサーバ１３は気象庁等に設置されたサーバであり、日射量取得部５７は、気象庁等が公表している情報から日射量情報を取得する。
【００３０】
受信強度算出部６１は、端末機器３の端末通信部３３で受信されている受信電波の強度である、現在の電波受信強度を算出する。受信強度算出部６１は、電波受信強度を示す情報を判断制御部６２等に出力する。
【００３１】
受光量算出部５９は、位置情報を含む信号の電波受信強度に基づき、日射量情報で示される日射量を補正して補正受光量を算出する。具体的には、電波受信強度が第１閾値以上第２閾値未満であると、判断制御部６２が判断した場合、受光量算出部５９は、第１補正係数関数を用いて導出された第１補正係数によって、機器の受光量を補正した第１補正受光量を算出する。また、電波受信強度が第２閾値以上である、判断制御部６２が判断した場合、受光量算出部５９は、第１補正係数関数を用いて導出された第２補正係数によって、機器の受光量を補正した第２補正受光量を算出する。つまり、補正受光量には、第１補正受光量と、第２補正受光量とが含まれる。受光量算出部５９は、算出した第１補正受光量及び第２補正受光量を累積値算出部６３に出力する。
【００３２】
第１補正係数関数は、非減少関数であり、例えば図２で示される。図２は、実施の形態１に係る積算受光量推定装置５で用いる第１補正係数関数の例を示す図である。第１補正関数で表される線は、曲線、直線、階段状の線でもよく、またはこれらを任意に組み合わせた線でもよい。図２では、縦軸が補正係数であり、横軸が電波受信強度Ｐを示している。第１補正係数ｋ１及び第２補正係数ｋ２は、この第１補正係数関数に基づいて算出される。
【００３３】
図２の（ａ）を例にあげると、電波受信強度Ｐが第１閾値ａ未満である場合に、補正係数ｋ０が０％となる。つまり、ｋ０＝０である。また、電波受信強度Ｐが第１閾値ａ以上第２閾値ｂ未満である場合に、第１補正係数ｋ１が第１閾値ａから第２閾値ｂまでの範囲の斜線に基づいて導出され、０よりも大きく１よりも小さい値になる。さらに、電波受信強度Ｐが第２閾値ｂ以上である場合に、第２補正係数ｋ２が１００％となる。つまり、ｋ２＝１である。
【００３４】
電波受信強度が第１閾値ａ未満であれば、端末機器３の電波強度が弱いため、太陽光が差し込みにくい屋内に使用者が存在していると考えられる。このように、第１閾値ａ未満では太陽光をほぼ受光していないと考えられるため、補正係数ｋ０の値を０又は０に近似する値とする。
【００３５】
また、電波受信強度Ｐが第１閾値ａ以上第２閾値ｂ未満であれば、端末機器３の電波強度が中程度であり、太陽光が差し込む窓際等の屋内又は木陰等の屋外に使用者が存在していると考えられる。第２閾値ｂは、第１閾値ａよりも大きな値である。このように、電波受信強度Ｐは、第１閾値ａ以上第２閾値ｂ未満であれば、電波強度が中程度であり、多少なりとも端末機器３が太陽光を受光していると考えられるため、第１補正係数ｋ１の値を補正係数ｋ０よりも大きい値とする。
【００３６】
さらに、電波受信強度Ｐが第２閾値ｂ以上であれば、端末機器３の電波強度が大きく、太陽光を直接浴びる屋外に利用者が存在していると考えられる。このように、電波受信強度Ｐは、第２閾値ｂ以上であれば、電波強度が強く、端末機器３が太陽光を受光していると考えられるため、第２補正係数ｋ２の値を補正係数ｋ０、第１補正係数ｋ１よりも大きい値とし、第２補正係数ｋ２の値を１又は１に近似する値とする。なお、補正係数ｋ０、第１補正係数ｋ１及び第２補正係数ｋ２は、いずれも０以上である。
【００３７】
図１に示すように、受光量算出部５９は、照明装置受光量を算出する。具体的には、照明装置受光量は、照明装置７によって端末機器３が受光した受光期間を示す受光期間情報と、照明装置７によって端末機器３が受光した光量を示す情報とに基づいて、受光期間に端末機器３が受光した光量を乗算して算出される。受光量算出部５９は、照明装置受光量を示す情報を累積値算出部６３に出力する。
【００３８】
判断制御部６２は、端末機器３の受光量の累積値を算出するために、各種の判断及び判断に基づく制御を行う。判断制御部６２は、受光量を加算するための対象期間であるか否かを判断する。具体的には、判断制御部６２は、現在時刻を示す情報をタイマ部５５から取得し、現在時刻が対象期間内であるか否かを判断する。ここでいう対象期間は、光を浴びることで人の生体リズムを整える効果のある時間帯である。おおよそ太陽が昇りだす時間又は使用者が起床した時間から午後４時までの間に、約１５００ｌｘの明るさの光を約３時間浴びれば、体内時計が調整されるといった生体リズムが改善されることが知られている。
【００３９】
判断制御部６２は、現在時刻が対象期間内であると判断した場合に、電波受信強度が第１閾値以上第２閾値未満であるか否かを判断する。具体的には、判断制御部６２は、受信強度算出部６１から端末機器３の現在の電波受信強度を取得し、電波受信強度が第１閾値以上第２閾値未満であるか否かを判断する。ここで、第１閾値は、第２閾値よりも小さい値である。
【００４０】
判断制御部６２は、電波受信強度が第１閾値未満であると判断した場合に、使用者が照明装置７を使用しているか否かを判断する。判断制御部６２は、端末通信部３３を介して、照明装置７の明るさを示す情報を照明装置７から取得することができる場合に、照明装置７を使用していると判断できる。
【００４１】
使用者が照明装置７を使用している場合、判断制御部６２は、照明装置７の明るさを示す情報を取得する。照明装置７の明るさを示す情報は、照明装置７が出射する光の光出力を示し、照明装置７によって端末機器３が受光した受光量を示す情報である。また、判断制御部６２は、明るさを示す情報を取得する間に、タイマ部５５から時間情報を取得して、受光期間情報を生成する。判断制御部６２は、照明装置７によって端末機器３が受光した光の明るさを示す情報と、受光期間情報とを関連付けて受光量算出部５９に出力する。
【００４２】
また、判断制御部６２は、照明装置７が出射する光の明るさが規定値以上であるか否かを判断する。言い換えれば、判断制御部６２は、端末機器３が照明装置７で受光した期間内において、照明装置７の明るさが規定値以上となる期間が存在しているかを判断する。この判断は、光の明るさが小さいと、生体リズムを改善する効果を見込めないため、照明装置７の明るさが規定値未満となる明るさを除外するために行う。このように、判断制御部６２は、明るさが規定値以下となる期間の受光量を、累積値算出部６３が算出する累積値に含ませない。
【００４３】
ここで、累積値の算出で規定値以下となる受光量を累積値に含ませない場合について、例をあげて説明する。図３は、日中に受光した受光量の累積値と１３００ｌｘ以上の光を受光した受光量の累積値との関係を示す散布図である。
【００４４】
図３は、２０１６年の７月から１２月までの間に、５名の延べ４２７日分の受光量を示している。図３では、縦軸が日中（起床〜１６：００）の受光量の累積値（ｌｘ・ｈ）、横軸が１３００ｌｘ以上の日中の受光量の累積値（ｌｘ・ｈ）である。ここでいう１３００ｌｘ以上の受光量の累積値とは、１３００ｌｘ以上となる高照度の受光量のみを示す累積値である。このため、図３では、１３００ｌｘ未満となる低照度の受光量は累積値から除外している。１３００ｌｘが規定値に相当する。
【００４５】
図３の散布図では、１秒毎の照度を計測して算出した受光量の累積値である。主に１０００ｌｘを超える場合は、太陽光を受光した場合、高照度の照明装置７を利用した場合であり、一般的な環境照明下では１０００ｌｘを超えることはなかった。
【００４６】
縦軸の累積値及び横軸の累積値には、統計的に有意な強い相関Ｒ＝０．９８２０がある。このため、１３００ｌｘ未満の低照度の受光量を累積値から除外しても、１３００ｌｘ以上の高照度からなる受光量だけで日中の累積値を推定することができる。
【００４７】
図１に示すように、累積値算出部６３は、補正受光量を用いて端末機器３の受光量の累積値を算出する。具体的には、累積値算出部６３は、第１補正受光量及び第２補正受光量を示す情報を受光量算出部５９から取得し、第１補正受光量及び第２補正受光量に照明装置受光量を加算して累積値を算出する。
【００４８】
累積値算出部６３は、累積値の算出では、照明装置７が出射する光の明るさが規定値未満である場合に、照明装置受光量を含めずに累積値を算出する。また、累積値算出部６３は、照明装置７の出射した光の明るさが規定値以上である場合に、補正受光量に照明装置受光量を加算して累積値を算出する。累積値算出部６３は、算出した累積値を判断制御部６２、管理部６７等に出力する。判断制御部６２は、累積値算出部６３が算出した累積値を取得し、この累積値を表示部３１に表示させる。これにより、使用者は、累積値を認知することができる。
【００４９】
また、判断制御部６２は、例えば使用者における１日、１週間、１か月等のスケジュール情報に基づく使用者の活動情報から、使用者の活動内容に応じた受光量を算出する。スケジュール情報は、例えば、使用者の１日の行動である通勤、会議、外出等のスケジュールを示す。判断制御部６２は、生成したスケジュール情報を記憶部６５に記憶させる。判断制御部６２は、スケジュール情報に関連付けられた位置情報及び時間情報に対応する日射量情報を算出し、記憶部６５に記憶させる。
【００５０】
記憶部６５は、メモリ等で構成され、判断制御部６２が実行する制御プログラム等が記憶される記憶装置である。記憶部６５は、使用者のスケジュール情報と、スケジュール情報に関連付けられた位置情報及び時間情報とを記憶する。また、記憶部６５は、他にも、対象期間、第１閾値、第２閾値、規定値、累積値等を記憶する。
【００５１】
端末機器３の管理部６７は、累積値算出部６３から累積値を取得する。管理部６７は、積算受光量推定装置５から取得する累積値に基づいて、使用者が受光する受光量、使用者の健康状態及び使用者の睡眠状態を管理する。管理部６７は、使用者が受光する受光量、使用者の健康状態及び使用者の睡眠状態を示す各々の情報に基づいて、照明装置７の明るさ及び光出射時間の少なくとも一方を制御する。
【００５２】
例えば、管理部６７は、使用者の１日の受光量が、１日に浴びることが推奨されている受光量よりも少ない場合、翌日から、照明装置７の明るさである光出力を上げたり、照明装置７の光出射時間を長くしたりする等の照明装置７の制御を行う。また、使用者の１日の受光量が、１日に浴びることが推奨されている受光量以上である場合、この受光量以下とならないように、照明装置７の光出力を弱めたり、照明装置７の光出射時間を短くしたりする等の照明装置７の制御を行う。なお、管理部６７は、一日の受光量が少ない場合、受光量が足りないことを表示部に表示させてもよい。
【００５３】
また、管理部６７は、端末機器３に備えられていなくてもよい。また、管理部６７は、サーバ１３が備えていてもよく、端末機器３及びサーバ１３と異なる他の機器に備えられていてもよい。さらに、管理部６７は、積算受光量推定装置５が備えていてもよい。
【００５４】
端末機器３の表示部３１は、例えば液晶ディスプレイ、有機ＥＬパネル等であり、１日に受光した累積値等の情報を表示する機能を有する。
【００５５】
端末機器３の端末通信部３３は、サーバ１３から日射量情報の取得、位置情報の取得等行うアンテナである。また、端末機器３は、照明装置７の明るさ及び光出射時間を制御するコマンドを照明装置７に送信する。
【００５６】
健康管理システム１の照明装置７は、シーリングライト、ペンダントライト等の周囲を照明する装置に限定されず、例えば、使用者に光を照射する浴光装置であってもよい。本実施の形態の図１では、照明装置７の一例として浴光装置を例示している。
【００５７】
［動作］
次に、積算受光量推定装置５の動作について説明する。
【００５８】
図４は、実施の形態１に係る積算受光量推定装置５の動作を示すフローチャートである。
【００５９】
使用者は、端末機器３による受光量の推定値を算出するための専用のアプリケーションを立ち上げる。これにより、使用者が受光した受光量の推定値を算出する。
【００６０】
図４に示すように、まず、判断制御部６２は、現在時刻が受光量を加算するための対象期間であるか否かを判断する（Ｓ１）。これは、生体リズムを改善する効果のある対象期間内に端末機器３が受光した受光量を算出するため、判断制御部６２は、現在時刻が対象期間内であるか否かを判断する。
【００６１】
判断制御部６２は、現在時刻が対象期間内ではないと判断した場合（Ｓ１でＮｏ）に、ステップＳ１に戻り同様の判断を行う。
【００６２】
一方、判断制御部６２は、現在時刻が対象期間内であると判断した場合（Ｓ１でＹｅｓ）に、電波受信強度Ｐが第１閾値ａ以上であるか否かを判断する（Ｓ２）。
【００６３】
判断制御部６２は、電波受信強度Ｐが第１閾値ａ未満であると判断した場合に（Ｓ２でＮｏ）、使用者が照明装置７を使用しているか否かを判断する（Ｓ３）。
【００６４】
なお、電波受信強度Ｐが第１閾値ａ未満である場合に、日射量取得部５７が位置情報及び時間情報に基づいて日射量情報を取得してもよいが、補正係数ｋ０を日射量に乗算するため、結果的に日射量が０又は０に近似した値となるため、このようなステップを省略している。なお、このようなステップをステップＳ２とステップＳ３との間に設けてもよい。
【００６５】
判断制御部６２は、使用者が照明装置７を使用していないと判断した場合に（Ｓ３でＮｏ）、ステップＳ１に戻り同様の判断を行う。
【００６６】
一方、判断制御部６２は、使用者が照明装置７を使用していると判断した場合に（Ｓ３でＹｅｓ）、照明装置７の明るさが規定値以上であるか否かを判断する（Ｓ４）。
【００６７】
判断制御部６２は、照明装置７の明るさが規定値未満であると判断した場合に（Ｓ４でＮｏ）、ステップＳ１に戻り同様の判断を行う。ステップＳ４でＮｏとなる場合は、受光した全ての期間において、照明装置７の明るさが規定値未満となる場合である。これは、対象期間に使用者が浴光効果のある光を浴びていないと考えられるため、この期間で算出された受光量を累積値に含めない。
【００６８】
一方、判断制御部６２は、照明装置７の明るさが規定値以上であると判断した場合に（Ｓ４でＹｅｓ）、照明装置７の明るさから、照明装置７によって端末機器３が受光した期間の照明装置受光量を算出する（Ｓ５）。ステップＳ４でＹｅｓとなる場合は、照明装置７の明るさが規定値以上となる期間が存在している場合である。このため、判断制御部６２は、照明装置７の明るさが規定値未満となる期間を除き、照明装置７の明るさが規定値以上となる期間について、照明装置受光量を算出する（Ｓ５）。
【００６９】
次に、累積値算出部６３は、補正受光量に照明装置受光量を加算して累積値を算出する（Ｓ６）。そして、判断制御部６２は、算出した累積値を表示部３１に出力する（Ｓ６）。これにより、表示部３１は、累積値を表示する。そして、このフローは終了する。
【００７０】
電波受信強度Ｐが第１閾値ａ以上であると、判断制御部６２が判断した場合に（Ｓ２でＹｅｓ）、日射量取得部５７は、位置情報取得部５３から位置情報を取得し、タイマ部５５から現在時間を示す時間情報を取得する（Ｓ７）。日射量取得部５７は、端末通信部３３及びネットワーク１１を介して、位置情報及び時間情報に対応する日射量情報を外部のサーバ１３から取得する（Ｓ７）。日射量情報で示される日射量が、端末機器３の受光量ｑとなる。
【００７１】
次に、判断制御部６２は、電波受信強度Ｐが第２閾値ｂ未満であるか否かを判断する（Ｓ８）。
【００７２】
電波受信強度Ｐが第２閾値ｂ未満であると、判断制御部６２が判断した場合に（Ｓ８でＹｅｓ）、受光量算出部５９は、日射量取得部５７から端末機器３の受光量ｑを取得し、第１補正係数関数を用いて、日射量情報で示された端末機器３の受光量ｑを補正した第１補正受光量を算出する（Ｓ９）。具体的には、受光量算出部５９は、第１補正係数関数に基づいて、電波受信強度Ｐに応じた第１補正係数ｋ１を算出する（Ｓ９）。受光量算出部５９は、第１補正係数ｋ１に端末機器３の受光量ｑを乗算し、第１補正受光量を算出する。そして、受光量算出部５９は、ステップＳ３〜Ｓ６に進み、第１補正受光量に照明装置受光量を合算して累積値を算出し、判断制御部６２に出力する。判断制御部６２は、この累積値を表示部３１に表示させる。そして、ステップＳ１に戻り、同様のフローが行われる。
【００７３】
電波受信強度Ｐが第２閾値ｂ以上であると、判断制御部６２が判断した場合に（Ｓ８でＮｏ）、受光量算出部５９は、第１補正係数関数を用いて、日射量情報で示された端末機器３の受光量ｑを補正した第２補正受光量を算出する（Ｓ１０）。具体的には、受光量算出部５９は、第１補正係数関数に基づいて、電波受信強度Ｐに応じた第２補正係数ｋ２を算出する（Ｓ１０）。受光量算出部５９は、第２補正係数ｋ２に端末機器３の受光量ｑを乗算し、第２補正受光量を算出する。そして、受光量算出部５９は、ステップＳ３〜Ｓ６に進み、第２補正受光量に照明装置受光量を合算して累積値を算出し、判断制御部６２に出力する。判断制御部６２は、この累積値を表示部３１に表示させる。そして、ステップＳ１に戻り、同様のフローが行われる。
【００７４】
なお、このフローで行う累積値の算出は、例えば、１日ごとに累積値を算出してもよく、１日の内の所定期間ごとに行ってもよい。
【００７５】
このようにして、積算受光量推定装置５では、太陽光が差し込みにくい屋内に利用者が存在している場合にステップＳ２からステップＳ４までのフローによって屋内の照明装置７によって受光できた照明装置受光量を算出する。また、この積算受光量推定装置５では、太陽光が差し込む窓際等の屋内又は木陰等の屋外に利用者が存在している場合にステップＳ２、ステップＳ７からステップＳ９のフローによって第１補正係数ｋ１による補正を行い、第１補正受光量を算出する。さらに、この積算受光量推定装置５では、太陽光を直接浴びる屋外に利用者が存在している場合にステップＳ２、ステップＳ７、ステップＳ８及びステップＳ１０のフローによって第２補正係数ｋ２による補正を行い、第２補正受光量を算出する。照明装置受光量、第１補正受光量及び第２補正受光量を適宜合算し、累積値を算出することで、使用者が受光した１日の総受光量を推定することができる。
【００７６】
次に、１日における使用者の受光量の累積値を算出する方法について、図５の具体例をあげて説明する。図５は、使用者が受光した一日の受光量の累積値を算出する一例を説明する説明図である。
【００７７】
まず、位置情報取得部５３は、使用者が存在している自宅リビングを示す位置情報を生成し、この位置情報を日射量取得部５７に出力する。タイマ部５５は、６：３０〜７：３０を示す時間情報を生成し、この時間情報を日射量取得部５７に出力する。日射量取得部５７は、自宅リビングを示す位置情報に、６：３０〜７：３０を示す時間情報を関連付ける。日射量取得部５７は、６：３０〜７：３０に自宅リビングに存在している場合の照度が５００ｌｘであるとする日射量情報を、サーバ１３から取得し、受光量算出部５９に出力する。受光量算出部５９は、受信強度算出部６１から取得した端末機器３の電波受信強度に基づいて、例えば第１補正係数ｋ１を算出する。受光量算出部５９は、第１補正係数ｋ１と、６：３０〜７：３０を示す時間情報と、５００ｌｘを示す照明装置受光量を示す情報とから、第１補正係数ｋ１（＝０．５とする）×１ｈ×２５０ｌｘより、照明装置受光量２５０ｌｘ・ｈを算出し、この照明装置受光量を示す情報を累積値算出部６３に出力する。累積値算出部６３は、累積値２５０ｌｘ・ｈを算出する。累積値算出部６３は、この累積値を記憶しておく。
【００７８】
次に、位置情報取得部５３は、使用者が存在している屋外を示す位置情報を生成し、この位置情報を日射量取得部５７に出力する。タイマ部５５は、７：３０〜８：３０を示す時間情報を生成し、この時間情報を日射量取得部５７に出力する。日射量取得部５７は、屋外を示す位置情報に、７：３０〜８：３０を示す時間情報を関連付ける。日射量取得部５７は、７：３０〜８：３０に屋外に存在している場合の照度が４０００ｌｘであるとする日射量情報を、サーバ１３から取得し、受光量算出部５９に出力する。受光量算出部５９は、受信強度算出部６１から取得した端末機器３の電波受信強度に基づいて、例えば第２補正係数ｋ２を算出する。受光量算出部５９は、第２補正係数ｋ２と、７：３０〜８：３０を示す時間情報と、４０００ｌｘを示す日射量情報とから、ｋ２（＝１とする）×１ｈ×４０００ｌｘより、第２補正受光量４０００ｌｘ・ｈを算出し、第２補正受光量を示す情報を累積値算出部６３に出力する。累積値算出部６３は、２５０ｌｘ・ｈ＋４０００ｌｘ・ｈより、累積値４２５０ｌｘ・ｈを算出する。
【００７９】
次に、判断制御部６２は、受信強度算出部６１から取得した端末機器３の電波受信強度に基づいて、８：３０〜１２：００を示す受光期間情報と、オフィスの明るさを３００ｌｘとする端末機器３が受光した光の明るさを示す情報とを関連付けて受光量算出部５９に出力する。受光量算出部５９は、受信強度算出部６１から取得した端末機器３の電波受信強度に基づいて、例えば補正係数ｋ０を算出する。受光量算出部５９は、補正係数ｋ０と、８：３０〜１２：００を示す時間情報と、３００ｌｘを示すオフィスの明るさを示す情報とから、ｋ０（＝０とする）×日射量＋３．５ｈ×３００ｌｘより、照明装置受光量１０５０ｌｘ・ｈを算出し、照明装置受光量を示す情報を累積値算出部６３に出力する。累積値算出部６３は、４２５０ｌｘ・ｈ＋１０５０ｌｘ・ｈより、累積値５３００ｌｘ・ｈを算出する。
【００８０】
次に、判断制御部６２は、受信強度算出部６１から取得した端末機器３の電波受信強度に基づいて、１２：００〜１３：００を示す受光期間情報と、食堂の明るさを２００ｌｘとする端末機器３が受光した光の明るさを示す情報とを関連付けて受光量算出部５９に出力する。受光量算出部５９は、受信強度算出部６１から取得した端末機器３の電波受信強度に基づいて、例えば補正係数ｋ０を算出する。受光量算出部５９は、補正係数ｋ０と、１２：００〜１３：００を示す時間情報と、２００ｌｘを示す食堂の明るさを示す情報とから、ｋ０（＝０とする）×日射量＋１ｈ×２００ｌｘより、照明装置受光量２００ｌｘ・ｈを算出し、照明装置受光量を示す情報を累積値算出部６３に出力する。累積値算出部６３は、５３００ｌｘ・ｈ＋２００ｌｘ・ｈより、累積値５５００ｌｘ・ｈを算出する。
【００８１】
次に、判断制御部６２は、受信強度算出部６１から取得した端末機器３の電波受信強度に基づいて、１３：００〜１８：００を示す受光期間情報と、オフィスの明るさを３００ｌｘとする端末機器３が受光した光の明るさを示す情報とを関連付けて受光量算出部５９に出力する。受光量算出部５９は、受信強度算出部６１から取得した端末機器３の電波受信強度に基づいて、例えば補正係数ｋ０を算出する。受光量算出部５９は、補正係数ｋ０と、１３：００〜１８：００を示す時間情報と、３００ｌｘを示すオフィスの明るさを示す情報とから、ｋ０（＝０とする）×日射量＋５ｈ×３００ｌｘより、照明装置受光量１５００ｌｘ・ｈを算出し、照明装置受光量を示す情報を累積値算出部６３に出力する。累積値算出部６３は、５５００ｌｘ・ｈ＋１５００ｌｘ・ｈより、累積値７０００ｌｘ・ｈを算出する。
【００８２】
次に、位置情報取得部５３は、使用者が存在している屋外を示す位置情報を生成し、この位置情報を日射量取得部５７に出力する。タイマ部５５は、１８：００〜１９：００を示す時間情報を生成し、この時間情報を日射量取得部５７に出力する。日射量取得部５７は、屋外を示す位置情報に、１８：００〜１９：００を示す時間情報を関連付ける。日射量取得部５７は、１８：００〜１９：００に屋外に存在している場合の照度が１００ｌｘであるとする日射量情報を、サーバ１３から取得し、受光量算出部５９に出力する。受光量算出部５９は、受信強度算出部６１から取得した端末機器３の電波受信強度に基づいて、例えば第１補正係数ｋ１を算出する。受光量算出部５９は、第２補正係数ｋ１と、１８：００〜１９：００を示す時間情報と、１００ｌｘを示す日射量情報とから、ｋ１（＝０.１とする）×１ｈ×１００ｌｘより、第１補正受光量１０ｌｘ・ｈを算出し、第１補正受光量を示す情報を累積値算出部６３に出力する。累積値算出部６３は、７０００ｌｘ・ｈ＋１０ｌｘ・ｈより、累積値７０１０ｌｘ・ｈを算出する。
【００８３】
次に、判断制御部６２は、受信強度算出部６１から取得した端末機器３の電波受信強度に基づいて、１９：００〜２３：００を示す受光期間情報と、自宅リビングの明るさを２００ｌｘとする端末機器３が受光した光の明るさを示す情報とを関連付けて受光量算出部５９に出力する。受光量算出部５９は、受信強度算出部６１から取得した端末機器３の電波受信強度に基づいて、例えば補正係数ｋ０を算出する。受光量算出部５９は、補正係数ｋ０と、１９：００〜２３：００を示す時間情報と、２００ｌｘを示す自宅リビングの明るさを示す情報とから、ｋ０（＝０とする）×日射量＋４ｈ×２００ｌｘより、照明装置受光量８００ｌｘ・ｈを算出し、照明装置受光量を示す情報を累積値算出部６３に出力する。累積値算出部６３は、７０１０ｌｘ・ｈ＋８００ｌｘ・ｈより、累積値７８１０ｌｘ・ｈを算出する。
【００８４】
その後、使用者は、翌日の６：３０まで就寝するため、累積値算出部６３は、７８１０ｌｘ・ｈ＋（７．５ｈ×０ｌｘ）より、累積値７８１０ｌｘ・ｈを算出する。累積値算出部６３は、累積値７８１０ｌｘ・ｈを示す情報を判断制御部６２に出力し、判断制御部６２は、表示部３１に累積値７８１０ｌｘ・ｈを表示させる。こうして、使用者は、１日の受光量の累積値を認知することができる。なお、図５の説明では、一定期間ごとに累積値を算出しているが、判断制御部６２は、累積値を算出する毎に表示部３１に累積値を表示させてもよく、１秒毎、１分毎等に累積値を算出し、同様に表示部３１に表示させてもよい。このため、累積値を算出するタイミング、表示部３１に表示させるタイミングは、これらの説明で限定されない。
【００８５】
このように、積算受光量推定装置５の日射量取得部５７が時間情報及び位置情報に基づいて日射量情報を取得する。判断制御部６２が受信強度算出部６１が算出した電波受信強度に基づいて行った判断により、受光量算出部５９は、日射量情報が示す日射量情報を補正して、補正受光量を算出する。このため、センサ等を身体に装着しなくても端末機器３が受光した受光量の累積値を、制度よく算出することができる。
【００８６】
［作用効果］
次に、本実施の形態における積算受光量推定方法、プログラム、積算受光量推定装置５及び健康管理システム１の作用効果について説明する。
【００８７】
上述したように、本実施の形態に係る積算受光量推定方法は、端末機器３の位置情報と、時間情報とに対応する日射量情報を取得し、位置情報を含む信号の電波受信強度に基づき、日射量情報で示される日射量を補正して補正受光量を算出し、補正受光量を用いて端末機器３の受光量の累積値を算出する。
【００８８】
この方法によれば、電波受信強度に基づき、日射量情報で示される日射量を補正して補正受光量を算出し、補正受光量を用いて端末機器３の受光量の累積値を算出する。このため、例えば、センサ等の検知装置を使用者に装着させることなく、位置情報及び時間情報に基づいて使用者が受光した受光量を精度よく算出することができる。
【００８９】
したがって、このような積算受光量推定方法によれば、センサを用いなくても使用者が受光した受光量の累積値を精度良く算出することができる。
【００９０】
特に、積算受光量推定装置５に検知装置を搭載しなくても使用者が受光した受光量の累積値を精度よく算出することができるため、積算受光量推定装置５の製造コストの高騰化を抑制することができる。
【００９１】
また、本実施の形態に係るプログラムは、積算受光量推定方法をコンピュータに実行させる。
【００９２】
また、本実施の形態に係る積算受光量推定装置５は、端末機器３の位置情報と、時間情報とに対応する日射量情報を取得する日射量取得部５７と、位置情報を含む信号の電波受信強度に基づき、日射量情報で示された端末機器３の受光量を補正した補正受光量を算出する受光量算出部５９と、補正受光量を含む累積値を算出する累積値算出部６３とを備える。
【００９３】
これらにおいも、同様の作用効果を奏する。
【００９４】
また、本実施の形態に係る積算受光量推定方法において、補正受光量は、第１補正受光量と、第２補正受光量とを含む。積算受光量推定方法において、さらに、電波受信強度が第１閾値以上第２閾値未満であるか否かを判断し、電波受信強度が第１閾値以上第２閾値未満である場合、第１補正係数関数を用いて導出された第１補正係数によって、端末機器３の受光量を補正した第１補正受光量を算出し、電波受信強度が第２閾値以上である場合、第１補正係数関数を用いて導出された第２補正係数によって、端末機器３の受光量を補正した第２補正受光量を算出する。
【００９５】
この方法によれば、電波受信強度が第１閾値以上第２閾値未満であるか否かによって、第１補正受光量を算出したり、第２補正受光量を算出したりする。このため、太陽光が差し込む窓際等の屋内又は木陰等の屋外に利用者が存在している場合に、第１補正受光量が算出され、太陽光を直接浴びる屋外に利用者が存在している場合に、第２補正受光量を算出される。このため、使用者が存在している場所に応じた累積値を算出することができるため、使用者が受光した受光量の累積値をより精度よく算出することができる。
【００９６】
また、本実施の形態に係る積算受光量推定方法において、第１補正係数関数は、非減少関数である。
【００９７】
この方法によれば、各々の電波受信強度に応じた各々の補正係数を算出することができる。このため、使用者が受光した受光量の累積値をより精度よく算出することができる。
【００９８】
また、本実施の形態に係る積算受光量推定方法は、さらに、照明装置７によって端末機器３が受光した照明装置受光量を示す情報を取得することができるか否かを判断し、累積値の算出では、照明装置受光量を示す情報の取得を行うことができる場合に、補正受光量に照明装置受光量が加算される。
【００９９】
この方法によれば、累積値の算出では、照明装置受光量を示す情報の取得を行うことができる場合に、補正受光量に照明装置受光量が加算される。このため、照明装置７の照明装置受光量を取得すれば、使用者が受光した受光量の累積値をより精度よく算出することができる。
【０１００】
また、本実施の形態に係る積算受光量推定方法では、さらに、照明装置７が出射する光の明るさが規定値以上であるか否かを判断し、累積値の算出では、照明装置受光量が規定値未満である場合に、補正受光量を含めずに算出され、照明装置受光量が規定値以上である場合に、補正受光量に照明装置受光量が加算される。
【０１０１】
この方法によれば、累積値の算出では、照明装置受光量が規定値未満である場合に、補正受光量を含めずに算出され、照明装置受光量が規定値以上である場合に、補正受光量に照明装置受光量が加算される。このため、生体リズムを改善する効果を見込めない受光量に関しては、累積値に含まれないため、使用者は、生体リズムを改善する効果のある受光量をより正確に把握することができる。
【０１０２】
また、本実施の形態に係る積算受光量推定方法では、使用者のスケジュール情報と、スケジュール情報に関連付けられた位置情報及び時間情報とを記憶し、スケジュール情報に関連付けられた位置情報及び時間情報に対応する日射量情報を算出する。
【０１０３】
この方法によれば、例えば一日のスケジュール情報を記憶しておけば、スケジュール情報に関連付けられた位置情報及び時間情報から、位置情報及び時間情報に対応する日射量情報を取得する。このため、スケジュール情報によって、日射量情報で示された装置の受光量を補正した補正受光量を算出するといった処理を省略することができる。このため、例えば、積算受光量推定方法を端末機器３に適応した場合に、端末機器３の処理を簡易にすることができる。
【０１０４】
また、本実施の形態に係る健康管理システム１は、積算受光量推定装置５と、積算受光量推定装置５から取得する累積値に基づいて、使用者が受光する受光量、使用者の健康状態及び使用者の睡眠状態を管理する管理部６７と、照明装置７とを備える。
【０１０５】
これによれば、累積値に応じて使用者が受光する受光量を管理部６７が管理するため、使用者の健康状態及び使用者の睡眠状態を管理することができる。このため、使用者の生体リズムを適切に整えることができる。
【０１０６】
また、本実施の形態に係る健康管理システム１において、管理部６７は、使用者が受光する受光量、使用者の健康状態及び使用者の睡眠状態を示す各々の情報に基づいて、照明装置７の明るさ及び光出射時間の少なくとも一方を制御する。
【０１０７】
これによれば、使用者が受光する受光量、使用者の健康状態及び使用者の睡眠状態を示す各々の情報に基づいて、照明装置７の明るさ及び光出射時間の少なくとも一方を管理部６７が制御するため、使用者の生体リズムを適切に整えることができる。
【０１０８】
（実施の形態２）
本実施の形態に係る健康管理システム１の構成について、図６を用いて説明する。
【０１０９】
図６は、実施の形態２に係る健康管理システム１を示すブロック図である。
【０１１０】
本実施の形態では、積算受光量推定装置２０５が水蒸気情報取得部２６５を備える点、受信強度算出部６１が、さらに水蒸気情報に基づいて電波受信強度を補正する点で実施の形態１と異なっている。また、本実施の形態の積算受光量推定装置２０５は、特に明記しない場合は、実施の形態１と同様であり、同一の構成については同一の符号を付して構成に関する詳細な説明を省略する。
【０１１１】
図６に示すように、位置情報取得部５３は、取得した位置情報を日射量取得、水蒸気情報取得部２６５等に出力する。また、タイマ部５５は、現在時間を計測し、判断制御部６２、日射量取得部５７、水蒸気情報取得部２６５等に出力する。
【０１１２】
水蒸気情報取得部２６５は、位置情報取得部５３から端末機器３の位置情報を取得し、位置情報に対応する時間情報をタイマ部５５から取得する。水蒸気情報取得部２６５は、端末機器３の位置情報と、時間情報とを関連付ける。なお、位置情報に時間情報がすでに関連付けられている場合、つまり、位置情報と時間情報とが関連付けられた情報を位置情報取得部５３が取得する場合、水蒸気情報取得部２６５は、位置情報と時間情報との関連付けを行わなくてもよい。水蒸気情報取得部２６５は、端末通信部３３及びネットワーク１１を介して、位置情報と時間情報とに対応する大気の水蒸気量を示す水蒸気情報を、サーバ１３から取得する。水蒸気情報取得部２６５は、水蒸気情報を受信強度算出部６１に出力する。水蒸気情報は、端末機器３の周囲の水蒸気量を示している。ここでいうサーバ１３は、気象庁等だけでなく国立天文台等も含まれ、水蒸気情報取得部２６５は、国立天文台等が公表している情報から水蒸気情報を取得する。
【０１１３】
受信強度算出部６１は、端末通信部３３の受信強度である、現在の電波受信強度を検知する。受信強度算出部６１は、第２補正係数関数を用いて電波受信強度を補正した第１補正受信強度、第２補正受信強度又は第３補正受信強度を算出する。
【０１１４】
第２補正係数関数は、非減少関数であり、例えば図７で示される。図７は、実施の形態２に係る積算受光量推定装置２０５で用いる第２補正係数関数の例を示す図である。第２補正係数関数で表される線は、曲線、直線、階段状の線でもよく、またはこれらを任意に組み合わせた線でもよい。図７では、縦軸が補正係数であり、横軸が水蒸気量を示している。第３補正係数ｋ３、第４補正係数ｋ４及び第５補正係数ｋ５は、この第２補正係数関数に基づいて算出される。
【０１１５】
図７の（ａ）を例にあげると、電波受信強度Ｐが第３閾値ｃ未満である場合に、補正係数ｋ３が１００％となる。つまり、ｋ３＝１である。また、電波受信強度Ｐが第３閾値ｃ以上第４閾値ｄ未満である場合に、第４補正係数ｋ４が第３閾値ｃから第４閾値ｄまでの範囲の斜線に基づいて導出され、１以上の値となる。さらに、電波受信強度Ｐが第５閾値以上である場合に、第５補正係数ｋ５が１００％よりも高い値となる。つまり、第５補正係数ｋ５は第４補正係数ｋ４よりも大きい値となる。
【０１１６】
水蒸気量が第３閾値ｃ未満であれば、天候が晴れであると推定され、大気中の水蒸気量が少なく、端末機器３の電波強度が低下し難い環境にある。この場合、水蒸気が電波環境に影響を与え難いため、第２補正係数関数を用いて導出された第３補正係数ｋ３は、１以上であり、かつ１に近い値になる。
【０１１７】
また、水蒸気量が第３閾値ｃ以上第４閾値ｄ未満であれば、天候が薄曇りであると推定され、大気中の水蒸気量が中程度であり、天候が晴れの場合よりも、端末機器３の電波強度がやや低下し易い環境にある。この場合、水蒸気が電波環境に影響を与えるため、第２補正係数関数を用いて導出された第４補正係数ｋ４は、第３補正係数ｋ３よりも大きい値になる。
【０１１８】
さらに、水蒸気量が第４閾値ｄ以上であれば天候が曇り又は雨であると推定され、大気中の水蒸気量が多く、天候が晴れ及び薄曇りの場合よりも、端末機器３の電波強度が低下し易い環境にある。この場合、水蒸気が電波環境に影響を与えるため、第２補正係数関数を用いて導出された第５補正係数ｋ５は、第４補正係数ｋ４よりも大きい値になる。
【０１１９】
図６に示すように、受信強度算出部６１は、第３補正係数ｋ３を電波受信強度に乗算して第１補正受信強度を算出、第４補正係数ｋ４を電波受信強度に乗算して第２補正受信強度を算出、及び、第５補正係数ｋ５を電波受信強度に乗算して第３補正受信強度を算出する。受信強度算出部６１は、算出した第１補正受信強度、第２補正受信強度及び第３補正受信強度に関する各々の情報を、累積値算出部６３に出力する。電波受信強度は、第１補正受信強度と、第２補正受信強度と、第３補正受信強度とを含む。
【０１２０】
判断制御部６２は、水蒸気量が第３閾値以上第４閾値未満であるか否かを判断する。水蒸気量が第３閾値未満であると、判断制御部６２が判断した場合に、電波受信強度は、第２補正係数関数を用いて導出された第３補正係数によって、電波受信強度を補正した第１補正受信強度を算出する。
【０１２１】
水蒸気量が第３閾値以上第４閾値未満であると、判断制御部６２が判断した場合に、電波受信強度は、第２補正係数関数を用いて導出された第３補正係数よりも大きい第４補正係数によって、電波受信強度を補正した第２補正受信強度を算出する。
【０１２２】
水蒸気量が第４閾値以上であると、判断制御部６２が判断した場合に、電波受信強度は、第２補正係数関数を用いて導出された第４補正係数よりも大きい第５補正係数によって、電波受信強度を補正した第３補正受信強度を算出する。
【０１２３】
［動作］
次に、積算受光量推定装置２０５の動作について説明する。
【０１２４】
図８は、実施の形態２に係る積算受光量推定装置２０５の動作を示すフローチャートである。
【０１２５】
図８に示すように、まず、判断制御部６２は、受光量を加算するための対象期間であるか否かを判断する（Ｓ１）。判断制御部６２は、現在時刻が対象期間内ではないと判断した場合（Ｓ１でＮｏ）に、ステップＳ１に戻り同様の判断を行う。
【０１２６】
一方、現在時刻が対象期間内であると、判断制御部６２が判断した場合（Ｓ１でＹｅｓ）に、受信強度算出部６１は、位置情報取得部５３から位置情報を取得し、かつ、タイマ部５５から時間情報を取得する（Ｓ１０１）。受信強度算出部６１は、端末通信部３３及びネットワーク１１を介して、位置情報及び時間情報に対応する水蒸気情報で示された水蒸気量Ｗをサーバ１３から取得する（Ｓ１０１）。
【０１２７】
次に、判断制御部６２は、ステップＳ１０１で取得した水蒸気量Ｗが第３閾値ｃ以上であるか否かを判断する（Ｓ１０２）。
【０１２８】
判断制御部６２は、ステップＳ１０１で取得した水蒸気量Ｗが第３閾値ｃ以上であると判断した場合に（Ｓ１０２でＹｅｓ）、ステップＳ１０１で取得した水蒸気量Ｗが第４閾値ｄ未満であるか否かを判断する（Ｓ１０３）。
【０１２９】
判断制御部６２は、ステップＳ１０１で取得した水蒸気量Ｗが第４閾値ｄ未満であると判断した場合に（Ｓ１０３でＹｅｓ）、受信強度算出部６１は、第２補正係数関数ｋ３を用いて、電波受信強度Ｐを補正した第１補正受信強度を算出する（Ｓ１０４）。具体的には、受信強度算出部６１は、第２補正係数関数に基づいて、水蒸気量Ｗに応じた第３補正係数ｋ３を算出する。受信強度算出部６１は、第３補正係数ｋ３に電波受信強度Ｐを乗算し、第１補正受信強度を算出する。
【０１３０】
一方、判断制御部６２は、ステップＳ１０１で取得した水蒸気量Ｗが第４閾値ｄ以上であると、判断制御部６２が判断した場合に（Ｓ１０３でＮｏ）、受信強度算出部６１は、第２補正係数関数を用いて、電波受信強度Ｐを補正した第２補正受信強度を算出する（Ｓ１０５）。具体的には、受信強度算出部６１は、第２補正係数関数に基づいて、水蒸気量Ｗに応じた第４補正係数ｋ４を算出する。受信強度算出部６１は、第４補正係数ｋ４に電波受信強度Ｐを乗算し、第２補正受信強度を算出する。
【０１３１】
また、判断制御部６２は、ステップＳ１０１で取得した水蒸気量Ｗが第３閾値ｃ未満であると判断した場合に（Ｓ１０２でＮｏ）、受信強度算出部６１は、第５補正係数関数ｋ５を用いて、電波受信強度Ｐを補正した第４電波受信強度を算出する（Ｓ１０６）。具体的には、受信強度算出部６１は、第２補正係数関数に基づいて、水蒸気量Ｗに応じた第５補正係数ｋ５を算出する。受信強度算出部６１は、第５補正係数ｋ５に電波受信強度Ｐを乗算し、第３補正受信強度を算出する。
【０１３２】
次に、判断制御部６２は、電波受信強度Ｐが第１閾値ａ以上であるか否かを判断する（Ｓ１１２）。電波受信強度Ｐは、ステップＳ１０３の判断で、ステップＳ１０４、ステップＳ１０５又はステップＳ１０６による補正で得られた第１補正受信強度Ｐ２、第２補正受信強度又は第３補正受信強度である。このため、ステップＳ１０４を経由した場合は、ステップＳ１１２で第１補正受信強度が第１閾値ａ以上であるか否かを判断する（Ｓ１１２）。また、ステップＳ１０５を経由した場合は、ステップＳ１１２で第２補正受信強度が第１閾値ａ以上であるか否かを判断する（Ｓ１１２）。さらに、ステップＳ１０６を経由した場合は、ステップＳ１１２で第３補正受信強度が第１閾値ａ以上であるか否かを判断する（Ｓ１１２）。図８では、第１補正受信強度Ｐ２、第２補正受信強度又は第３補正受信強度を総称して電波受信強度Ｐ’とする。
【０１３３】
判断制御部６２は、電波受信強度Ｐ’が第１閾値ａ未満であると判断した場合に（Ｓ１１２でＮｏ）、図４のステップＳ３〜Ｓ６のフローを行い、ステップＳ６では、累積値算出部６３が、第１補正受光量に照明装置受光量を加算して累積値を算出する。そして、判断制御部６２は、算出した累積値を表示部３１に出力する。これにより、表示部３１は、累積値を表示する。そして、このフローは終了する。
【０１３４】
判断制御部６２は、電波受信強度Ｐ’が第１閾値ａ以上であると判断した場合に（Ｓ１１２でＹｅｓ）、位置情報取得部５３から位置情報を取得し、タイマ部５５から現在時間を示す時間情報を取得する（Ｓ７）。日射量取得部５７は、端末通信部３３及びネットワーク１１を介して、位置情報及び時間情報に対応する日射量情報で示された端末機器３の受光量ｑを外部のサーバ１３から取得する（Ｓ７）。日射量取得部５７は、受光量算出部５９に取得した日射量情報を出力する。
【０１３５】
次に、判断制御部６２は、電波受信強度Ｐ’が第２閾値ｂ未満であるか否かを判断する（Ｓ１１８）。
【０１３６】
電波受信強度Ｐ’が第２閾値ｂ未満であると、判断制御部６２が判断した場合に（Ｓ１１８でＹｅｓ）、受光量算出部５９は、日射量取得部５７から端末機器３の受光量ｑを取得し、第１補正係数関数を用いて、日射量情報で示された端末機器３の受光量ｑを補正した第１補正受光量を算出する（Ｓ９）。具体的には、受光量算出部５９は、第１補正係数関数に基づいて、電波受信強度Ｐ’に応じた第１補正係数ｋ１を算出する。受光量算出部５９は、第１補正係数ｋ１に端末機器３の受光量ｑを乗算し、第１補正受光量を算出する。そして、判断制御部６２は、ステップＳ３に進み、同様のフローを行う。
【０１３７】
電波受信強度Ｐ’が第２閾値ｂ以上であると、判断制御部６２が判断した場合に（Ｓ８でＮｏ）、受光量算出部５９は、第１補正係数関数を用いて、日射量情報で示された端末機器３の受光量ｑを補正した第２補正受光量を算出する。具体的には、受光量算出部５９は、第１補正係数関数に基づいて、電波受信強度Ｐ’に応じた第２補正係数ｋ２を算出する。受光量算出部５９は、第２補正係数ｋ２に端末機器３の受光量ｑを乗算し、第２補正受光量を算出する。そして、判断制御部６２は、ステップＳ３からステップＳ６を経てステップＳ１に戻り同様の判断を行う。
【０１３８】
［作用効果］
次に、本実施の形態における積算受光量推定方法、プログラム、積算受光量推定装置２０５及び健康管理システム１の作用効果について説明する。
【０１３９】
上述したように、本実施の形態に係る積算受光量推定方法において、電波受信強度は、第１補正受信強度と、第２補正受信強度と、第３補正受信強度とを含む。積算受光量推定方法において、さらに、位置情報と、時間情報とに対応する大気の水蒸気量を示す水蒸気情報を取得し、水蒸気量が第３閾値以上第４閾値未満であるか否かを判断し、水蒸気量が第３閾値未満である場合、第２補正係数関数を用いて導出された第３補正係数によって、電波受信強度を補正した第１補正受信強度を算出し、水蒸気量が第３閾値以上第４閾値未満である場合、第２補正係数関数を用いて導出された第３補正係数よりも大きい第４補正係数によって、電波受信強度を補正した第２補正受信強度を算出し、水蒸気量が第４閾値以上である場合、第２補正係数関数を用いて導出された第４補正係数よりも大きい第５補正係数によって、電波受信強度を補正した第３補正受信強度を算出する。
【０１４０】
この方法によれば、水蒸気量に応じて第２補正係数関数から第３補正係数、第４補正係数及び第５補正係数を導出することができる。この方法では、第３補正係数、第４補正係数及び第５補正係数を用いて、電波受信強度を補正し、第１補正受信強度、第２補正受信強度又は第３補正受信強度を算出することができる。そして、この方法では、算出した第１補正受信強度、第２補正受信強度又は第３補正受信強度に基づいて日射量情報で示された端末機器３の受光量を補正した補正受光量を算出することができる。このため、この方法では、使用者が受光した受光量の累積値をより精度よく算出することができる。
【０１４１】
また、本実施の形態に係る積算受光量推定方法において、第２補正係数関数は、非減少関数である。
【０１４２】
この方法によれば、各々の電波受信強度に応じた各々の補正係数を算出することができる。このため、使用者が受光した受光量の累積値をより精度よく推定することができる。
【０１４３】
本実施の形態における他の作用効果についても、実施の形態１と同様の作用効果を奏する。
【０１４４】
（その他変形例等）
以上、本開示について、実施の形態１、２に基づいて説明したが、本開示は、上記実施の形態１、２に限定されるものではない。
【０１４５】
例えば、上記実施の形態１、２に係る積算受光量推定方法、プログラム、積算受光量推定装置及び健康管理システムにおいて、図２の（ｂ）、図２の（ｃ）及び図２の（ｄ）は、第１補正係数関数を示す図２の（ａ）の他の例である。また、図７の（ｂ）、図７の（ｃ）及び図７の（ｄ）は、第２補正係数関数を示す図７の（ａ）の他の例である。なお、第１補正係数関数の一例を示す図２の（ｂ）、図２の（ｃ）及び図２の（ｄ）と、第２補正係数関数を示す図７の（ｂ）、図７の（ｃ）及び図７の（ｄ）とは一例であり、これらに限定されない。
【０１４６】
また、上記実施の形態１、２に係る積算受光量推定方法、プログラム、積算受光量推定装置及び健康管理システムにおいて、照明装置を使用しても、照明装置の明るさを示す情報を照明装置から取得することができない場合がある。この場合、判断制御部が表示部に使用者の主観評価を表示させて、端末機器が有する入力部を介して、使用者に主観評価入力させる。これにより、使用者の受光量を推定してもよい。
【０１４７】
また、上記実施の形態１、２に係る積算受光量推定方法、プログラム、積算受光量推定装置及び健康管理システムにおいて、積算受光量推定装置では、累積値の算出は１日に限定されず、特定の期間における受光量の累積値を算出することができる。
【０１４８】
また、上記実施の形態１、２に係る積算受光量推定方法、プログラム、積算受光量推定装置及び健康管理システムは典型的には集積回路であるＬＳＩとして実現される。これらは個別に１チップ化されてもよいし、一部又は全てを含むように１チップ化されてもよい。
【０１４９】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１５０】
なお、上記各実施の形態１、２において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１５１】
また、上記で用いた数字は、全て本開示を具体的に説明するために例示するものであり、本開示の実施の形態は例示された数字に制限されない。
【０１５２】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１５３】
また、フローチャートにおける各ステップが実行される順序は、本開示を具体的に説明するために例示するためのものであり、上記以外の順序であってもよい。また、上記ステップの一部が、他のステップと同時（並列）に実行されてもよい。
【０１５４】
以上、一つまたは複数の態様に係る積算受光量推定方法、プログラム、積算受光量推定装置及び健康管理システムについて、実施の形態１、２に基づいて説明したが、本開示の実施の形態１、２に限定されるものではない。本開示の趣旨を逸脱しない限り、当業者が思いつく各種変形を実施の形態１、２に施したものや、異なる実施の形態における構成要素を組み合わせて構築される形態も、一つまたは複数の態様の範囲内に含まれてもよい。
【符号の説明】
【０１５５】
１  健康管理システム
３  端末機器（機器）
５、２０５  積算受光量推定装置
７  照明装置
５７  日射量取得部
５９  受光量算出部
６３  累積値算出部
６７  管理部
【図１】
2019011969.tif 000003
【図２】
2019011969.tif 000004
【図３】
2019011969.tif 000005
【図４】
2019011969.tif 000006
【図５】
2019011969.tif 000007
【図６】
2019011969.tif 000008
【図７】
2019011969.tif 000009
【図８】
2019011969.tif 000010
【図９】
2019011969.tif 000011